(57)【特許請求の範囲】
【請求項１】
熱交換器及び送風機を収納した室内機本体を有し、電気品を収納した電気品箱が該室内機本体内に配設され、
前記電気品箱は、開口面を有し、該室内機本体の側面に対し、該開口面が外側に向く位置と、該開口面が内側に向く位置で、該室内機本体に固定して取付け可能に構成され、
前記室内機本体の側面に対し前記開口面が外側に向く位置に取付けされた場合に、前記電気品箱の前記開口面を覆う第１のカバー部材と、前記開口面に対向する背面に対向して設置される第２のカバー部材とを備え、
前記開口面が内側に向く位置に取付けされた場合、前記第２のカバー部材が前記開口面を覆うように構成され、
前記室内機本体の側面に対し前記開口面が外側に向く位置に取付けされた場合に、
前記第１のカバー部材は、前記室内機本体の側面に取付けられており、
前記第２のカバー部材は、前記電気品箱の前記開口面に対向する面の外面に取付けられている
ことを特徴とする空気調和機。
【請求項２】
熱交換器及び送風機を収納した室内機本体を有し、電気品を収納した電気品箱が該室内機本体内に配設され、
前記電気品箱は、開口面を有し、該室内機本体の側面に対し、該開口面が外側に向く位置と、該開口面が内側に向く位置で、該室内機本体に固定して取付け可能に構成され、
前記室内機本体の側面のうち、前記電気品箱の前記開口面に対向する面および隣接する面に、配線取込口が設けられている
ことを特徴とする空気調和機。
【請求項３】
前記室内機本体の側面に対し、前記開口面が内側に向く位置に取付けされた場合、前記電気品箱をメンテナンス時に下方に降ろす途中で、前記電気品箱が前記室内機本体の筐体に係止される係止部が前記電気品箱に設けられている
ことを特徴とする請求項１または請求項２に記載の空気調和機。
【請求項４】
前記空気調和機は、天埋め型空気調和機、または、ビルトイン型空気調和機である
ことを特徴とする請求項１乃至３のいずれか１項に記載の空気調和機。
【発明の詳細な説明】
【技術分野】
【０００１】
本発明は、空気調和機に関し、特に、室内機本体を天井内に設置し、ダクト接続型の天埋め型またはビルトイン型に関する。
【背景技術】
【０００２】
空気調和機の室内機において、天埋め型空気調和機については、据付時やサービス時に電気品箱での作業を行う場合、機器の構成上、室内機本体の外側から作業する場合と室内機本体の内側から作業する場合とに分かれる。このため、通常、電気品箱を共通化することが難しい。この電気品箱を共通化し、室内機本体の外側からも内側からも作業することを可能とした空気調和機が各種提案されている。
【０００３】
特許文献１には、電気品箱は、開口を備えるとともに、室内機本体に反転取付け可能に設けられ、開口が室内機本体の内側または外側を向く位置で、室内機本体に固定して取付け可能に構成され、電気品箱の一部は、室内機本体から突出した構成が開示されている。
【０００４】
また、特許文献１には、略三角柱の形状をした電気品箱を軸支点に回転移動させることで、電気品箱の作業を本体の外側からも内側からも可能に構成されているが、電気品箱を回転させた場合、室内機本体から突出した構成が開示されている。
【先行技術文献】
【特許文献】
【０００５】
【特許文献１】特許第３８０６５３６号（図２、図３、図１０、図１１）
【発明の概要】
【発明が解決しようとする課題】
【０００６】
天井に埋め込まれ、ダクト接続型の空気調和機は、本体背面から空気を吸い込む天埋め型空気調和機と、本体下面の天井に埋め込まれたパネルから空気を吸い込むビルトイン型空気調和機に大別される。ここで、天埋め型空気調和機とビルトイン型空気調和機は、空気の吸込み経路を除く構成部品について共用化できる部品が多く、生産効率の向上、原価低減を考慮して、なるべく共用化設計されることが望ましい。
【０００７】
特許文献１の空気調和機において、電気品箱が、室内機本体から、一部電気品箱が突出する構造であり、メンテナンス作業時の作業空間を制約する課題がある。
【０００８】
また、他の構成として略三角柱の形状をした電気品箱の場合、軸支点に回転移動させることで、電気品箱の作業を本体の外側からも内側からも可能にし、更に電気品箱の構成部品を共通化したものである。しかし、回転移動をさせるために電気品箱の形状に制約ができてしまい、かつ、電気品箱が回転する空間を確保する必要がある。さらには据付時やサービス時に電気品箱での作業を行う場合、電気部品を斜めに見る形での作業となり、作業性の改善には課題を残したものである。
【０００９】
本発明は、前記の課題を解決するための発明であって、電気品箱の配設やメンテナンス性が容易な空気調和機を提供することを目的とする。
【課題を解決するための手段】
【００１０】
前記目的を達成するため、本発明の空気調和機は、熱交換器及び送風機を収納した室内機本体を有し、電気品を収納した電気品箱が該室内機本体内に配設され、電気品箱は、開口面を有し、該室内機本体の側面に対し、該開口面が外側に向く位置と、該開口面が内側に向く位置で、該室内機本体に固定して取付け可能に構成され、室内機本体の側面に対し開口面が外側に向く位置に取付けされた場合に、電気品箱の開口面を覆う第１のカバー部材と、開口面に対向する背面に対向して設置される第２のカバー部材とを備え、開口面が内側に向く位置に取付けされた場合、第２のカバー部材が開口面を覆うように構成され、室内機本体の側面に対し開口面が外側に向く位置に取付けされた場合に、第１のカバー部材は、室内機本体の側面に取付けられており、第２のカバー部材は、電気品箱の開口面に対向する面の外面に取付けられていることを特徴とする。本発明のその他の態様については、後記する実施形態において説明する。
【発明の効果】
【００１１】
本発明によれば、電気品箱の配設やメンテナンス性が容易になる。
【図面の簡単な説明】
【００１２】
【図１】実施形態に係る空気調和機の外観構成を示す図であり、（ａ）は天埋め型空気調和機であり、（ｂ）はビルトイン型空気調和機である。
【図２】空気調和機の下面であり、室内機本体に電気品箱が組付けられた状態を示す図である。
【図３】電気品箱を外向きに配設した場合であり、第１のカバー部材の取付け方法を示す図である。
【図４】電気品箱を外向きに配設した場合であり、第２のカバー部材の取付け方法を示す図である。
【図５】電気品箱が外向き時に、筐体への取付け方法を示す図である。
【図６】電気品箱の筐体への取付け方法を示す図であり、（ａ）は電気品箱が外向きの場合、（ｂ）は電気品箱が内向きの場合、（ｃ）は電気品箱が内向き時に降ろした場合である。
【図７】電気品箱を内向き取付け状態で、第２のカバー部材を取外した状態を示す図である。
【図８】電気品箱を内向き時に降ろした場合を示す図である。
【発明を実施するための形態】
【００１３】
本発明を実施するための実施形態について、適宜図面を参照しながら詳細に説明する。
<<実施形態１>>
本実施形態では、空気調和機の室内機における電気品箱１０のメンテナンスを、室内機本体１００の外側からと、室内機本体１００の内側からの、どちらからでも可能とする室内機の例を説明する。
【００１４】
図１は、実施形態に係る空気調和機の外観構成を示す図であり、（ａ）は天埋め型空気調和機であり、（ｂ）はビルトイン型空気調和機である。図１は、それぞれの空気調和機の側面図を示し、説明の都合上、空気の吹出し側を前として説明する。図２は、空気調和機の下面であり、室内機本体に電気品箱が組付けられた状態を示す図である。
【００１５】
図１（ａ）に示す天埋め型空気調和機１００Ａは、建屋の天井９１と天井板９２との間の天井空間内に懸吊して配設された室内機本体１００、吹出グリル５２、吹出ダクト５１、フィルタボックス５３、吸込ダクト５４、吸込グリル５５、空調制御用の電気品箱１０などを有して構成される。
【００１６】
電気品箱１０は、室内機本体１００内に外向けに配設され、室内機本体１００の側面板４１（第２の側面板４１Ｒ）に取付けされた第１のカバー部材２１で閉鎖されている。電気品箱１０のメンテナンス時には、第１のカバー部材２１を取外すと、作業者は電気品箱を正面からみることができ、メンテナンス時の作業が容易になる効果がある。
【００１７】
室内機本体１００は、互いに対向配置されて四角枠形状に設けられた４枚の側面板４１（第１の側面板４１Ｆ（前側面板）、第２の側面板４１Ｒ（右側面板）、第３の側面板４１Ｌ（左側面板）、第４の側面板４１Ｂ（後側面板））、天面板４２、底面板４３で構成される。室内機本体１００の側面板４１には、吊り金具４４が固着され、この吊り金具４４が、建屋の天井９１から垂下された吊りボルト４５に止着されている。
【００１８】
空気調和機の動作としては、図２に示すように、空気吸込口３１から、ファンモータ３２の駆動の送風機３３の回転による送風動作で、吸い込んだ空気を熱交換器３４によって温度ならびに状態を変化させ、空気吹出口３５から室内に繋がる吹出ダクト５１へ空気を吹き出す構成となっている。
【００１９】
ここで、図２に示すように、電気品箱１０は空気の流れを阻害しないよう、空気吸込口３１から空気吹出口３５への主な流路には配置しないことで空気調和機としての効率を確保している。このため、電気品を内部に備えた電気品箱１０は、可能な限り小型化されることが望ましい。
【００２０】
図１に戻り、吹出ダクト５１は、通常、室内機本体１００から延設されている。吹出ダクト５１は、室内機本体１００の一つの側面板４１に一体に設置された空気吹出口３５に一端が嵌装され、他端に吹出グリル５２が取付けられる。この吹出グリル５２は、天井板９２の適宜位置に設置される。室内機本体１００内のファンの回転により、室内機本体１００内に室内空気が吸い込まれ、室内熱交換器により熱交換された空気が、吹出ダクト５１を経て吹出グリル５２から室内へ吹き出される。
【００２１】
室内機本体１００において、空気吹出口３５が設置された側面板４１（第４の側面板４１Ｂ）に、吸込開口が形成され、例えばフィルタボックス５３を介して、通常一本の吸込ダクト５４が連接されている。吸込ダクト５４の一端部に吸込グリル５５が嵌装され、この吸込グリル５５が、天井板９２の適宜位置に設置される。この吸込グリル５５から室内空気が取り込まれ、吸込ダクト５４を経て室内機本体１００内へ吸い込まれる。なお、室内機本体１００の下部開口は、本体蓋４９により閉鎖される。なお、天井板９２には、点検口９３を閉鎖する点検口蓋９４を有する。
【００２２】
図１（ｂ）に示すビルトイン型空気調和機１００Ｂは、室内機本体１００の下部開口に天井パネル５６が嵌装されたものであり、天井空間内に懸吊して配設された室内機本体１００、吹出グリル５２、吹出ダクト５１、天井パネル５６、空調制御用の電気品箱１０などを有して構成される。ビルトイン型空気調和機１００Ｂは、天井パネル５６から室内空気を吸い込み、室内機本体１００内へ導入する。
【００２３】
電気品箱１０は、室内機本体１００内に内向けに配設され、室内機本体１００の側面板４１（第２の側面板４１Ｒ）に取付けされた第１のカバー部材２１で閉鎖されている。また、電気品箱１０の開口面１１（図３参照）は、第２のカバー部材２２（図６（ｂ）参照）で閉鎖されている。電気品箱１０のメンテナンス時には、第２のカバー部材２２を取外したのちに（図７参照）、電気品箱１０を降ろすと（図８参照）、作業者は電気品箱を内側の正面からみることができ、メンテナンス時の作業が容易になる効果がある。
【００２４】
図３は、電気品箱を外向きに配設した場合であり、第１のカバー部材の取付け方法を示す図である。図４は、電気品箱を外向きに配設した場合であり、第２のカバー部材の取付け方法を示す図である。
【００２５】
図３に示す空気調和機は、天埋め型空気調和機１００Ａであり、電気品箱１０を外側からサービスする場合である。空気吸込口３１にはフィルタボックス５３（図１参照）が接続され、室内機本体１００の下面も塞がれる形態のため、サービス用のアクセス方法としては室内機本体１００の側面を作業者が正面に見る格好となる。このため、室内機本体１００の角部に内蔵された電気品箱１０は、室内機本体１００の外側から作業しやすいように外向けに配置し、開口面１１を有している。第１のカバー部材２１を取り外すことによって電気品箱１０での作業がなされる。第１のカバー部材２１は、側面板４１（第２の側面板４１Ｒ）に、第１のカバー取付ネジ２３（締結手段）で締結される。
【００２６】
電気品箱１０には、室内機本体１００の側面に対し開口面１１が外側に向く位置に取付けされた場合に、電気品箱１０の開口面１１を覆う第１のカバー部材２１と、開口面１１に対向する背面１０Ｂ（図４参照）に対向して設置される第２のカバー部材２２とを備えている。開口面１１が内側に向く位置に取付けされた場合、第２のカバー部材２２が開口面１１を覆うように取付けられる。すなわち、室内機本体１００の側面に対し開口面１１が外側に向く位置に取付けされた場合に、第１のカバー部材２１は、室内機本体１００の側面に取付けられており、第２のカバー部材２２は、電気品箱１０の開口面１１に対向する面の外面に取付けられている。なお、電気品箱１０には、配線取込口１８，１９を有している。
【００２７】
図４に示すように、電気品箱１０の底面１０Ｄには、電気品箱１０が外向き時に筐体に取付ける際に使用するふたつの取付フランジ１２、電気品箱１０が内向け時に筐体に取付る際に使用するふたつの取付フランジ１３、第２のカバー部材２２を電気品箱１０の背面１０Ｂに取付ける際に使用する第２のカバー取付フランジ１４、電気品箱１０が内向け時に電気品箱１０の開口面１１を閉鎖する第２のカバー取付フランジ１５を有する。取付フランジ１２，１３には、取付ネジを貫通させる孔がある。第２のカバー取付フランジ１４，１５は、電気品箱１０の底面１０Ｄに対し傾斜を有し、取付ネジを締結させるネジ穴がある。第２のカバー部材２２は、下端に取付フランジ２４を有し、取付フランジ２４を、第２のカバー取付フランジ１４に取付ネジ２５で締結することができる。
【００２８】
次に、電気品箱１０の筐体への取付け方法について説明する。
図５は、電気品箱が外向き時に、筐体への取付け方法を示す図である。図６は、電気品箱の筐体への取付け方法を示す図であり、（ａ）は電気品箱が外向きの場合、（ｂ）は電気品箱が内向きの場合、（ｃ）は電気品箱が内向き時に降ろした場合である。図７は、電気品箱を内向き取付け状態で、第２のカバー部材を取外した状態を示す図である。図８は、電気品箱を内向き時に、電気品箱を降ろした場合を示す図である。
【００２９】
図６（ａ）に示す電気品箱１０を外向き（図３参照）に取付ける際には、電気品箱１０の上面１０Ｕは、取付ネジ６１で筐体に締結する。図６（ａ）においては、下から上に取付ネジ６１を挿入して締結する。取付フランジ１２は、室内機本体１００のフランジ４６（図５参照）のネジ穴１２１（図５参照）を用いて取付ネジ６２で締結する。図６（ａ）においては、左から右に取付ネジ６２を挿入して締結する。
【００３０】
前記説明は、室内機本体１００を天井空間内に既に設置した場合であり、製造工程では、室内機本体１００の天地が逆になり作業するとよい。作業姿勢としては電気品箱１０を上から差し込む。図６（ａ）の場合、電気品箱１０は右下角のフレームを避けるように、やや左側で下から上に差し込まれ、突き当たる時、真右にスライドすることでネジ位置に合わせるとよい。
【００３１】
図６（ｂ）に示す電気品箱１０を内向き（図７参照）に取付ける際には、電気品箱１０の上面１０Ｕは、取付ネジ６３で筐体に締結する。図６（ｂ）においては、下から上に取付ネジ６３を挿入して締結する。取付フランジ１３は、室内機本体１００のフランジ４６のネジ穴１３１（図５参照）を用いて取付ネジ６４で締結する。図６（ｂ）においては、左から右に取付ネジ６４を挿入して締結する。
【００３２】
図６（ｃ）には、電気品箱が内向き時に降ろした場合を示す。電気品箱１０の背面１０Ｂの上部には係止部１７を有し、電気品箱１０を降ろした場合に、筐体の右下のフレームに係止部１７により係止される。電気品箱１０の取り外し順番としては、まず第２のカバー部材２２の下部斜めの取付ネジ２５を外し、第２のカバー部材２２の上端は、引っ掛け構造であるので、容易にはずすことができる。図７に第２のカバー部材２２を取外した状態を示す。その後、筐体の上側に止めている電気品箱１０の上部の取付ネジ６３を２箇所外し、電気品箱１０の下部の取付ネジ６４を２箇所取り外し（図８参照）、係止位置まで電気品箱１０を降ろす。なお、図６（ｃ）では、電気品箱が係止位置にいるが、この係止を避けるように若干左側を下げてくれば、電気品箱は本体から完全に抜き取ることができる。
【００３３】
図７は、本実施形態の空気調和機のうち、多くは電気品箱１０を内側（例えば、室内機本体１００の真下）からサービスするビルトイン型空気調和機である。空気吸込口３１は室内機本体１００下面に配した天井パネル５６（図１（ｂ）参照）となり、室内機本体１００の背面（第４の側面板４１Ｂ）は塞がれる形態のため、サービス用のアクセス方法としては室内機本体１００の内側から電気品箱１０を正面に見る格好となる。具体的には、作業者は、天井板９２の上で、室内機本体１００の下面のフラットパネルを外し、天井板９２と室内機本体１００との間に頭をいれて、メンテナンス作業をする。このため、室内機本体１００の角部に内蔵された電気品箱１０は、室内機本体１００の内側から作業しやすいように構成される電気部品を配置し、第２のカバー部材２２を取り外すことによって電気品箱１０での作業がなされる。なお、図７は、第２のカバー部材２２が取り外された状態である。
【００３４】
この時、施工上の現地接続配線の取り込み口が室内機本体１００の複数の面に備えてあり、現地接続配線の配線取込口は選択することを可能としている。本実施形態では、図３に示すように、第１の配線取込口４７、第２の配線取込口４８を有している。
【００３５】
また、この形態は、天埋め型空気調和機１００Ａで、室内機本体１００の下面にダクトを接続し、室内機本体１００の背面を塞ぐ場合においても適用される。
【００３６】
前記したように、電気品箱１０は、図３、図７に示す通り、天埋め型空気調和機１００Ａとビルトイン型空気調和機１００Ｂのそれぞれに適したアクセス方向があり、従来、部品の共用化が課題となっていた。本実施形態では、電気部品を備えた電気品箱１０を、室内機本体１００の角部で外向きに配置しても内向きに配置してもどちらでも取り付けられるように固定位置を定める。天埋め型空気調和機１００Ａで電気品箱１０が外向きとなる場合には、室内機本体１００側面に備えた第１のカバー部材２１を開けることで電気品箱１０の作業が可能であり、ビルトイン型空気調和機１００Ｂで電気品箱１０が内向きとなる場合には、室内機本体１００の側面に備えた第１のカバー部材２１は室内機本体１００の外郭を構成するに留まり、代わりに室内機本体１００の内側から見た際に、電気品箱１０の蓋となる第２のカバー部材２２を開けることで電気品箱１０の作業が可能となる。
【００３７】
<<実施形態２>>
本実施例では、空気調和機が設置される時にその周囲部材の構成によって電気品箱１０のアクセス方向を変更可能とする室内機の例を説明する。一例として、図１（ａ）に示す天埋め型空気調和機１００Ａの室内機において、据付場所の状態によっては天井内周囲にスペースが確保できず、室内機本体１００の下面から空気を吸い込む構造としたい要望がある。この場合、電気品箱１０へのアクセスはビルトイン型空気調和機１００Ｂと同様に室内機本体１００の下面内側からとなり、電気品箱１０が外向きのままでは作業性が悪い。ここで、電気品箱１０が外向きに取り付けられて出荷した天埋め型空気調和機１００Ａの室内機を、据付前に電気品箱１０の向きを変更することができる。前記した電気品箱１０は、取付ネジを外してから室内機本体１００の下面側に引き出すことで、室内機本体１００で組立時に結線されている内部配線を外すことなく宙吊り状態にすることができる。この状態から電気品箱１０を内向きになるように回転し、再び室内機本体１００の内部に収納固定することで、据付場所に応じて容易に電気品箱１０へのアクセス方向を変更することが可能となる。
【００３８】
従来、ビルトイン型空気調和機１００Ｂで、電気品箱１０が室内機本体１００内側からのアクセスとなっている場合、または、実施形態２に示す天埋めタイプで電気品箱１０へのアクセス方向を内側からに変更した場合、第２のカバー部材２２を取り外して電気箱の作業を行うが、この場合、室内機本体１００の内側が電気品箱１０の真正面となるため、機内の送風機３３、ファンモータ３２といった部品が障害となり、作業性を確保できない課題があった。図６（ｃ）、図８に示すように、サービス時には、内向きとなっている電気品箱１０を引き出す形で下方に降ろし、その途中で筐体に引掛け、係止できるような構造とすることで、電気品箱１０の作業性を確保することができる。
【００３９】
本実施形態では、共通化された電気品箱１０が室内機本体１００内に配設されており、室内機の組立て時、または据付前に電気品箱１０の向きを選択できるようにすることで、背面吸い込み時には室内機本体１００の外側正面から、下面吸い込み時には室内機本体１００の内側正面から電気品箱の作業することができる。
【００４０】
本実施形態では、室内機本体１００に埋設される箱状の電気品箱１０と、背面吸い込み時、室内機本体１００の外側から作業するときに開けると電気品箱１０が見えるようになる第１のカバー部材２１、および下面吸い込み時、室内機本体１００の内側から作業するときに開けると電気品箱１０が見えるようになる第２のカバー部材２２が設けられ、本体の組立て時、または据付時に電気品箱を任意の方向に取り付けられる。
【００４１】
本実施形態によれば、空気調和機の室内機において、天埋め型空気調和機とビルトイン型空気調和機の電気品箱１０を共通化することが可能となり、生産効率の向上、原価低減の効果がある。また背面吸い込みの天埋め型空気調和機で下面吸い込みの要望があった場合にも、据付前に電気品箱１０の向きを変更することでサービス性を確保できる効果がある。
【符号の説明】
【００４２】
１０    電気品箱
１１    開口面
１２    取付フランジ
１３    取付フランジ
１４    第２のカバー取付フランジ
１５    第２のカバー取付フランジ
１７    係止部
１８    配線取込口
１９    配線取込口
２１    第１カバー部材
２２    第２カバー部材
２３    第１カバー取付ネジ（締結手段）
２４    取付フランジ
２５    第２カバー取付ネジ（締結手段）
３１    空気吸込口
３２    ファンモータ
３３    送風機
３４    熱交換器
３５    空気吹出口
４１    側面
４６    フランジ
４７    第１の配線取込口
４８    第２の配線取込口
５１    吹出ダクト
５２    吹出グリル
５３    フィルタボックス
５４    吸込ダクト
５５    吸込グリル
５６    天井パネル
６１，６２，６３，６４    取付ネジ（締結手段）
１００Ａ    天埋めタイプ空気調和機
１００Ｂ    ビルトインタイプ空気調和機
１００    室内機本体
【図１】
0006785561.tif 000002
【図２】
0006785561.tif 000003
【図３】
0006785561.tif 000004
【図４】
0006785561.tif 000005
【図５】
0006785561.tif 000006
【図６】
0006785561.tif 000007
【図７】
0006785561.tif 000008
【図８】
0006785561.tif 000009